(57)【特許請求の範囲】
【請求項１】
長露光映像信号の入力手段と、短露光映像信号の入力手段と、前記長露光映像信号と前記短露光映像信号とから合成映像信号を合成する合成処理手段と、電子ズーム処理された映像信号を生成する電子ズーム処理手段と、入力される４つの映像信号から２つの映像信号を選択する切換手段と、該切換手段から出力される２つの映像信号を同時に表示する表示手段とを有し、
前記切換手段は前記長露光映像信号、前記短露光映像信号、前記合成映像信号、前記電子ズーム処理された映像信号から２つの映像信号を選択出力することを特徴とするテレビジョンカメラ装置。
【発明の詳細な説明】
【０００１】
【発明の属する技術分野】
本発明は、広範囲な被写体照度にわたって階調を連続的に可変するようにした、広ダイナミックな映像信号を出力するためのテレビジョンカメラの改良に関する。
【０００２】
【従来の技術】
従来、広範囲な被写体照度にわたって階調を連続的に可変するようにした、広ダイナミックな映像信号を出力するためのテレビジョンカメラとしては、撮像素子からより長い期間露光され蓄積された電荷による映像信号と、より短い時間露光され蓄積された電荷による映像信号とを交互に出力し、撮影された画像の同じ撮影部分ごとにそれら二つの映像信号のうちより適正な露光映像信号レベルとなっている方の映像信号レベルを選択するように合成処理する。さらに、その合成処理の結果得られた合成映像信号に、色分離、白バランス制御、輪郭補正、ガンマ補正などの信号処理を施して、それら信号処理が施された映像信号を出力する。
【０００３】
【発明が解決しようとする課題】
上述の従来技術では、合成処理された合成映像信号に色分離、白バランス制御、輪郭補正、ガンマ補正などの信号処理が施されている一方、合成処理する前の映像信号には上述の信号処理は施されていない。そのため、合成処理する前の映像信号を後段の表示手段にそのまま出力したことでは、適正な画像表示とすることができない。
【０００４】
本発明の目的は、合成処理前の映像信号と合成処理した後の映像信号を共に色分離、白バランス制御、輪郭補正、ガンマ補正などの信号処理を施すようにして、合成処理前の映像信号と合成処理した後の映像信号を後段の映像表示装置に応じた適正な映像信号として出力できるようにすることである。
【０００５】
【課題を解決するための手段】
本発明は、上述の課題を解決するために、光電変換により得られた電荷を蓄積する撮像素子、前記撮像素子からのより長い期間露光され蓄積された電荷による第１の映像信号と前記撮像素子からのより短い時間露光され蓄積された電荷による第２の映像信号とを合成する手段、前記第１の映像信号および前記第２の映像信号の一方を出力する手段および前記合成されて得られた合成映像信号を出力する手段とを備えるものである。
【０００６】
本発明はさらに前記第１の映像信号、前記第２の映像信号、前記合成映像信号とを入力し、それらの映像信号をもとにピクチャ・インピクチャ映像信号を生成する手段を備えるものである。
【０００７】
【発明の実施の形態】
本発明のテレビジョンカメラのブロック構成例を図１に示す。図１において、ＣＣＤ撮像素子（図示せず）から出力された長露光映像信号と短露光映像信号とは、それぞれＡ／Ｄコンバータ１とＡ／Ｄコンバータ８へ入力されアナログの映像信号からデジタルの映像信号へ変換される。
【０００８】
Ａ／Ｄコンバータ１から出力された長露光映像信号とＡ／Ｄコンバータ８から出力された短露光映像信号は、それぞれデジタル・シグナル・プロセサ（ＤＳＰ）２とＤＳＰ９へ入力され、それぞれ入力された映像信号に応じた色分離、白バランス制御、輪郭補正、ガンマ補正などの信号処理が施される。
【０００９】
ＤＳＰ２から出力された長露光映像信号は、Ｄ／Ａコンバータ３および合成処理回路４へ出力される。一方ＤＳＰ９から出力された短露光映像信号は、Ｄ／Ａコンバータ１０および合成処理回路４へ出力される。
【００１０】
Ｄ／Ａコンバータ３でアナログに変換された長露光映像信号はエンコーダ（ＥＮＣ）５へ入力され、そこでエンコード処理が施される。同様に、Ｄ／Ａコンバータ１０でアナログに変換された短露光映像信号はエンコーダ（ＥＮＣ）１１へ入力され、そこでエンコード処理が施される。
【００１１】
合成処理回路４へ入力された長露光映像信号および短露光映像信号は、所定の合成方法でもって合成され、その合成された映像信号がエンコーダ（ＥＮＣ）１４へ入力され、エンコード処理が施される。
【００１２】
合成処理回路４における合成方法としては、例えば、撮影された画像の同じ撮影部分ごとにそれら二つの信号のうちより適正な露光映像信号レベルとなっている方の映像信号レベルを選択するように合成処理する。そうすることで、長露光映像信号では白とびをおこしてディテールのわからない領域については、短露光映像信号の白とびをおこしていない適正な信号レベルが用いられるように合成することで、ディテールを確認可能な信号とすることができる。また、短露光映像信号では黒つぶれをおこしてディテールのわからない領域については、長露光映像信号の黒つぶれをおこしていない適正な信号レベルが用いられるように合成することで、より多くの領域でもって最適な信号レベルとすることが可能な、ディテールの確認が容易に出来る映像信号を合成し後段へ出力することが出来る。
【００１３】
さらに、ＥＮＣ５でエンコード処理された長露光映像信号が映像信号出力端子６、ＥＮＣ１１でエンコード処理された短露光映像信号が映像信号出力端子１２、さらに、ＥＮＣ１４でエンコード処理された合成映像信号が映像信号出力端子１５を介して、それぞれテレビジョンカメラ装置から後段（図示せず）へ出力される。
【００１４】
以上のように、長露光映像信号と短露光映像信号がそれぞれＤＳＰで映像信号処理された後に、それらＤＳＰから出力された映像信号から合成映像信号を生成する。さらに、ＤＳＰで映像信号処理された長露光映像信号と短露光映像信号と合成映像信号の三つの映像信号を、それぞれエンコード処理する。そうすることで、テレビジョンカメラ装置から後段の表示装置へ出力された場合に、上記出力される三つの映像信号のうちいずれの映像信号であっても、適正な画像表示を行うことが出来る。
【００１５】
次に、本発明のテレビジョンカメラの別のブロック構成例を図２に示す。図２において、図１と共通なブロックについては上述したので、説明を省略する。
【００１６】
図２において、ＥＮＣ５，１１，１４でそれぞれエンコード処理された映像信号は、映像信号出力端子６，１２，１５を介して後段へ出力されると共に、切換スイッチ１８および１９へそれぞれ入力される。さらに、切換スイッチ１８および１９へは、電子ズーム処理回路によって電子ズーム処理された映像信号が入力される。切換スイッチ１８および１９は共にＣＰＵ１６からの制御信号により制御され、それぞれ入力された４つの映像信号の内のいずれか一つを選択出力する。切換スイッチ１８および１９からそれぞれ出力された映像信号は、ＰＩＰ（ピクチャ・イン・ピクチャ）回路２１へ入力される。
【００１７】
ＰＩＰ回路２１では、入力された映像信号の内、切換スイッチ１８から入力された映像信号による画像を画枠いっぱいに表示し、さらに、切換スイッチ１９から入力された映像信号による画像をその画枠の中の一部分にオーバーラップして表示できるようにした、ＰＩＰ（ピクチャ・イン・ピクチャ）映像信号が生成され出力される。
【００１８】
以上のように、長露光映像信号、短露光映像信号、合成映像信号および電子ズーム処理された映像信号のうちいずれか二つの映像信号により生成されたＰＩＰ（ピクチャ・イン・ピクチャ）映像信号が映像信号端子１７から後段（図示せず）へ出力され、例えば後段の表示装置で、それら二つの映像信号を同時に表示することが出来る。
【００１９】
そのため、例えば、合成映像信号と長露光映像信号とが同時に表示される場合、暗い被写体が適正に撮像された長露光映像信号よりも、明るい被写体が適正に撮像された短露光映像信号に重点がおかれて合成されたとすると、その合成信号は、その暗い被写体が適正に撮像されたごとくの映像信号とは成らない場合がある。そのため、合成映像信号で画像全体を観察できると同時に、合成映像信号ではディテールがはっきりしない暗い被写体をより確認することが、合成映像信号と長露光映像信号を同時に表示することで可能となる。また、合成映像信号と短露光映像信号を同時に表示することでも同様な効果を得ることが出来る。
【００２０】
【発明の効果】
以上説明したように本発明によれば、長露光映像信号と短露光映像信号がそれぞれＤＳＰで映像信号処理された後に、それらＤＳＰから出力された映像信号から合成映像信号を生成し、ＤＳＰで映像信号処理された長露光映像信号と短露光映像信号と合成映像信号の三つの映像信号を、それぞれエンコード処理することで、テレビジョンカメラ装置から後段の表示装置へ出力された場合に、上記出力される三つの映像信号のうちいずれの映像信号であっても、適正な画像表示を行うことが出来る。
【００２１】
さらに長露光映像信号、短露光映像信号、合成映像信号および電子ズーム処理された映像信号のうちいずれか二つの映像信号により生成されたＰＩＰ（ピクチャ・イン・ピクチャ）映像信号が出力され、後段の表示装置で、それら二つの映像信号を同時に表示することが出来る。
【図面の簡単な説明】
【図１】本発明のテレビジョンカメラのブロック構成例を示す図
【図２】本発明のテレビジョンカメラの他のブロック構成例を示す図
【符号の説明】
１，８：Ａ／Ｄコンバータ、  ２，９：ＤＳＰ、  ３，１０，１３：Ｄ／Ａコンバータ、  ４：合成処理回路、  ５，１１，１４：エンコーダ（ＥＮＣ）、  ７，１８，１９：切換スイッチ、  １６：ＣＰＵ、  ２０：電子ズーム処理回路、  ２１：ＰＩＰ回路。
【図１】
0004067246.tif 000002
【図２】
0004067246.tif 000003